(57)【要約】      （修正有）【課題】製作が極めて簡易であり、しかも軽量化を可能にしながら十分な強度を有し且つ大幅なコストダウンを可能にする、屋内の床面や屋外の地面等の凹設されたピット等の蓋体を提供する。【解決手段】開口部に開閉可能に支持され、矩形状の底板２００と、この底板の四周に側枠板３００を接合して上方開放のボックスを形成し、このボックス内に床仕上げ材を設置する蓋体１００において、底板は四周に適宜な間隔で嵌込用突起２０１を設け、側枠板は下部側面に底板の嵌込用突起を側方から嵌通する嵌入穴３０１を有し、底板の嵌込用突起を側枠板の嵌入穴に嵌合し、側枠板の端部同士を接合した。【選択図】図１
0003232621.tif 000002
【実用新案登録請求の範囲】
【請求項１】
開口部に開閉可能に支持され、矩形状の底板（２００）と、この底板（２００）の四周に側枠板（３００）を接合して上方開放のボックスを形成し、このボックス内に床仕上げ材を設置する蓋体（１００）において、前記底板（２００）は四周に適宜な間隔で嵌込用突起（２０１）を設け、前記側枠板（３００）は下部側面に前記底板（２００）の嵌込用突起（２０１）を側方から嵌入する嵌入穴（３０１）を有し、前記底板（２００）の嵌込用突起（２０１）を前記側枠板（３００）の嵌入穴（３０１）に嵌合し、前記側枠板（３００）の端部同士を接合したことを特徴とする蓋体。
【請求項２】
前記底板（２００）の嵌込用突起（２０１）の基部に、ロック穴（２０２）を設け、前記ロック穴（２０２）に楔（ＫＲ−２）を嵌入し頭部（ＫＲ−１）を前記側枠板（３００）の下部内面とを接合する楔付ロック部材（ＫＲ）を設けてなる請求項１に記載の蓋体。
【考案の詳細な説明】
【技術分野】
【０００１】  本考案は、開口部例えば歩行可能な設置面（例えば屋内の床面や屋外の地面等）に凹設されたピット等の開口部を開閉可能に支持した蓋体に関する。
【背景技術】
【０００２】  室内の床面に設けられる配線ケーブル用或いは給排水用のピットや、屋外の処理施設等に埋設される各種槽には、それらの開放上面（即ち設置面の開口部）を塞いで設置面と上面が略面一となるピット蓋が付設される。【０００３】  例えばピット蓋は、従来、必要な耐荷を確保するために溝蓋本体を鋼板より形成していた。図４に示すように断面Ｌ型のＳＵＳ製側枠アングル０１の間にＳＳ製底板０２を溶接して上部開放型のボックス０３を作成し、このボックス０３内における底板０２上にモルタル０４を敷きその上にタイル０５を貼設して歩行者等の重量を受けても耐えられる剛性にしてある。
従って前記従来のピット蓋は、側枠アングル０１や底板０２が厚いＳＳ製の重量体になり、しかもこれら部材間の全係合部を溶接接合しなければならない。
このように従来のピット蓋は、製作には多くの工程を要し且つ重筋作業を伴うもので必然的にコストが大幅に嵩むものであった。
他に特許文検１にて紹介された重構造の蓋も提案されているが、いずれにしても重量体になりがちであり軽量化が要求される。【０００４】
【先行技術文献】
【特許文献】
【０００５】
【特許文検１】
特開２０２０−２５０８７３号公報（出願人：株式会社日本ピット）
【考案の概要】
【考案が解決しようとする課題】
【０００６】  本考案は、製作が極めて簡易であり、しかも軽量化を可能にしながら十分な強度を有し且つ大幅なコストダウンを可能にする蓋体を提供する。
【課題を解決するための手段】
【０００７】  前記課題を解決する本考案の技術的特徴は次の（１）〜（２）の通りである。
（１）、開口部に開閉可能に支持され、矩形状の底板と、この底板の四周に側枠板を接合して上方開放のボックスを形成し、このボックス内に床仕上げ材を設置する蓋体において、前記底板は四周に適宜な間隔で嵌込用突起を設け、前記側枠板は下部側面に前記底板の嵌込用突起を側方から嵌入する嵌入穴を有し、前記底板の嵌込用突起を前記側枠板の嵌入穴に嵌合し、前記側枠板の端部同士を接合したことを特徴とする蓋体。【０００８】  （２）、前記底板の嵌込用突起の基部に、ロック穴を設け、前記ロック穴に楔を嵌入し頭部を前記側枠板の下部内面とを接合する楔付ロック部材を設けてなる前記（１）に記載の蓋体。
【図面の簡単な説明】
【０００９】
【図１】本考案の蓋の全体を示す斜視説明図である。
【図２】図１の矢視Ａ−Ａからの縦断面図である。
【図３】図１に示す蓋の底板２００と、この底板２００の四周に接続する側枠板３００と、底板２００に長片枠３０２を接続する楔付ロック部材ＫＲとの展開図である。
【図４】従来の蓋体の構造を示す横断面図である。
【考案を実施するための形態】
【００１０】  考案を実施するための形態を次に記載の実施例により詳細に説明する。
本考案の実施例の基本的な構成を図１〜図３に示す。
本例の蓋１００は、図示していないが設置面に形成した開口部の周縁部材の上に支持され該開口部を開閉可能にした蓋体である。
【００１１】  図１〜図３において、前記蓋体１００は、矩形状の底板２００と、この底板２００の四周に接続した側枠板３００からなる上方開放のボックス４００を形成する。このボックス４００内に床仕上げ材の１例としてモルタル４０１を介してタイル４０２を貼設する。
他の床仕上げ材としては、樹脂シート、樹脂タイル、カーペット、フローリング等があげられるが、この床仕上げ材の厚みに応じて側枠板の高さを設定すればよい。
【００１２】  前記底板２００は、四周に適宜な間隔で嵌込用突起２０１をレーザー加工で形成してある。
前記側枠板３００は、底板２００の長辺側に接続した長片枠３０２と、底板２００の短辺側に接続した短片枠３０３からなる。
前記側枠板３００の長片枠３０２と短片枠３０３は、下部側面に前記底板２００の嵌込用突起２０１を側方から嵌入する嵌入穴３０１をレーザー加工で形成してある。
【００１３】  前記底板２００は、長辺側の嵌込用突起２０１の基部にロック穴２０２を形成し、長辺側の嵌込用突起２０１を前記長片枠３０２の嵌入穴３０１に嵌入して嵌合し、短辺側の嵌込用突起２０１を前記短片枠３０３の嵌入穴３０１に嵌入して嵌合する。前記側枠板３００の長片枠３０２と短片枠３０３の端部同士は例えば溶接で接合してある。
【００１４】  前記長片枠３０２は、長いので撓みを防止するため図２に拡大して示すように前記底板２００の嵌込用突起２０１の基部即ち前記長片枠３０２の嵌入穴３０１の内側直近部に、設けたロック穴２０２に、楔付ロック部材ＫＲの楔ＫＲ−２を下方から嵌入し楔付ロック部材ＫＲの頭部ＫＲ−１を前記長片枠３０２の嵌入穴３０１の下方内面に溶接接合して固定し、前記長片枠３０２に横方向から掛かる負荷による湾曲等の撓み変形を抑制する。
このことは実際に蓋体自体は開口部に複数枚を併設するため隣設同士の蓋体は、長片枠３０２の外面同士の密接配置を可能にするため楔付ロック部材ＫＲは長片枠３０２の下部内面と底板２００の裏面側部間に配置する。
また楔付ロック部材ＫＲは底板２００の材質に関係なく長片枠３０２の材質と同じにすれば長片枠３０２に頭部ＫＲ−１を簡易に溶接接合して固定支持すると共に楔ＫＲ−２を底板２００に嵌合して保持することを可能にしたのである。
【００１５】  更にこの構造は、特に底板２００を安価なＳＳ材にし、長片枠３０２をＳＵＳ材にした場合はその間の直接の溶接接合が可能であるが、異なる材質の溶接となるので、高いスキルを伴う。つまり同じ材質同士であれば熱伝導率も同じなので、溶接は容易であるが、異なる材質の場合、熱伝導率が異なるので溶接棒を正しく選定しなければ溶接部が成分偏析を生じて溶接部に割れが発生するなどの問題が生じるため好ましくないので底板２００のロック穴との間に長片枠３０２と同質のＳＵＳ材にした楔付ロック部材ＫＲを介在させるのである。
【００１６】  前記短片枠３０３は、短いので前記楔付ロック部材ＫＲで前記底板２００と前記短片枠３０３とを接合固定するまでもないが、前記長片枠３０２同様に嵌込用突起２０１の基部にロック穴２０２を形成して前記楔付ロック部材ＫＲにより接合しても構わない。
蓋体１００における、前記底板２００、長片枠３０２、短片枠３０３、嵌込用突起２０１、ロック穴２０２、楔付ロック部材ＫＲ等のサイズ関係の実際は、嵌入によるピッタリの組立が精密に可能になる関係のサイズ構成であるが図面では分り易いように弛緩表現してある。
【００１７】  このように本例の蓋体１００は、前記底板２００の四周に長片枠３０２と短片枠３０３を嵌入接合し場合によっては楔付ロック部材ＫＲを嵌めて補強し、あとは必要に応じて長片枠３０２と短片枠３０３間の係合部を接合する等、極めて簡易な製作工程で蓋体の本体が出来上がる。
蓋体は、前記底板、長片枠、短片枠、楔付ロック部材の材質は、特に限定しないが、軽量なアルミ合金、ステンレススチールＳＵＳ、ＳＳ材、高強度合成樹脂等或いはこれらの適宜な組み合わせを自在に可能にして、高強度と軽量化の蓋体の製作を簡易工程でしかも安価に可能にしたものである。
【産業上の利用可能性】
【００１８】  本考案の蓋体は開口部を有する床等の構造物建築産業界に貢献すること多大なものがあり産業上の利用可能性は極めて高い。
【符号の説明】
【００１９】１００：蓋体
２００：矩形状の底板
２０１：嵌込用突起
２０２：ロック穴
３００：側枠板
３０１：嵌入穴
３０２：長片枠
３０３：短片枠
４００：上方開放のボックス
４０１：モルタル
４０２：タイル
ＫＲ：楔付ロック部材
ＫＲ−１：頭部
ＫＲ−２：楔
【図１】
0003232621.tif 000003
【図２】
0003232621.tif 000004
【図３】
0003232621.tif 000005
【図４】
0003232621.tif 000006